(57)【要約】【課題】  簡単、安価、かつ軽量の構造で、車両内部の静磁界を効果的に低減することができる、直流電気車両を提供する。【解決手段】  本発明の直流電気車両１においては、直流電気車両１の車体１１の底部に配設される底部磁気シールド板１２と、この底部磁気シールド板１２に接合され、車体１１の両側部に配設される側部磁気シールド板１３Ａ，１３Ｂとを備える。この側部磁気シールド板１３Ａ，１３Ｂは、底部から窓枠下辺の下の位置まで配置される。また、所望の場合には、直流電気車両１の車体１１の天井部に配設される天井部磁気シールド板１４と、この天井部磁気シールド板１４に接合され、車体１１の両側部に配設される側部磁気シールド板１３Ｃ，１３Ｄとをさらに備える。この側部磁気シールド板１３Ｃ，１３Ｄは、車体１１の天井部から、窓枠上辺より上の位置まで配置される。【選択図】図１
2011116247.tif 000002
【特許請求の範囲】
【請求項１】
直流電気車両の車体の底部に配設される底部磁気シールド板と、
前記底部磁気シールド板に接合されるとともに、前記車体の両側部に配設される第１の側部磁気シールド板と、
を備え、
前記第１の側部磁気シールド板は、
前記車体の底部から、窓枠下辺より下の所定の高さの位置まで配置される
ことを特徴とする直流電気車両。
【請求項２】
前記直流電気車両の車体の天井部に配設される天井部磁気シールド板と、
前記天井部磁気シールド板に接合されるとともに、前記車体の両側部に配設される第２の側部磁気シールド板と、
をさらに備え、
前記第２の側部磁気シールド板は、
前記車体の天井部から、窓枠上辺より上の所定の高さの位置まで配置される
ことを特徴とする請求項１に記載の直流電気車両。
【請求項３】
前記直流電気車両の乗降用の開閉扉内に配設されるドア部磁気シールド板を、さらに備え、
前記ドア部磁気シールド板は、前記車体の底部から、前記開閉扉の窓枠下辺より下の所定の高さの位置まで配置されるとともに、
前記ドア部磁気シールド板の底部側の辺部には、前記底部磁気シールド板の一部の面と平行な面をなして重なる磁気的接合面が配設される
ことを特徴とする請求項１または請求項２に記載の直流電気車両。
【請求項４】
前記底部磁気シールド板、側部磁気シールド板、および天井部磁気シールド板のいずれかまたは全部が方向性電磁鋼板で構成され、
前記方向性電磁鋼板の磁化容易軸方向が、直流電気車両に生じる磁界の向きに一致するように配設される
ことを特徴とする請求項１から３のいずれかに記載の直流電気車両。
【請求項５】
直流電気車両の磁気シールド方法であって、
前記直流電気車両の車体の底部に底部磁気シールド板を配設し、
前記底部磁気シールド板に接合される第１の側部磁気シールド板を前記車体の両側部に配設するとともに、
前記第１の側部磁気シールド板を、前記車体の底部から、窓枠下辺より下の所定の高さの位置まで配置する
ことを特徴とする直流電気車両の磁気シールド方法。
【発明の詳細な説明】
【技術分野】
【０００１】
本発明は、直流電気鉄道における直流電気車両の磁気シールド構造に関し、特に、架線やき電線およびレールを流れる電流による直流及び直流に近い低周波数磁界の遮蔽を行うことができる、直流電気車両、および直流電気車両の磁気シールド方法に関する。
【背景技術】
【０００２】
リアクトルの磁気遮蔽に関する同種の技術はこれまでにもあった。このため直流電車のリアクトルの直上には、現在２ｃｍ程度の厚みの鉄板が敷設されている（非特許文献１を参照）。他方直流電気車両においては、このリアクトル直上部以外の場所では積極的な磁気遮蔽はなされていない。ただし、超電導磁気浮上式鉄道に応用した場合の磁界低減の検討例はある（非特許文献２を参照）。
【先行技術文献】
【非特許文献】
【０００３】
【非特許文献１】西田輝幸、「ＥＭＣ問題への対応」、近畿車輛技報、第11号、2004年11月
【非特許文献２】Sasakawa, Tagawa,「Reduction of Magnetic Field in Vehicle of Superconductiong Maglev Train」, IEEE Transaction on Magnetics, Vol. 36, No. 5, pp.3676-3679, September 2000
【非特許文献３】持永他、「電気鉄道技術入門」、オーム社、2008年、p.98-107
【発明の概要】
【発明が解決しようとする課題】
【０００４】
元々首都圏通勤線区に代表される日本の直流電気鉄道においては、高頻度大編成高出力の電車が運行されており、使用される電力および供給のための電流の大きさは他国に例を見ないものである。また各モータ出力も高速化・高加減速度化などのため大出力化される傾向にある一方、車内空調や空気清浄機などのための補機電力も増大化の傾向にある。
【０００５】
さらに諸外国（特にＥＵ：European Union諸国）と比較しての大きな違いはそのき電電圧であり、多くの諸外国で採用されているＤＣ３，０００ＶではなくＤＣ１，５００Ｖをき電電圧として使用している。そのため更に大きなき電電流がその駆動に必要となる。
【０００６】
加えて昔の鉄道車両はある程度直流磁気遮蔽効果の期待できた鋼板（鋼板は強磁性体である）を車体構体材料として用いていたが、近年の直流電気鉄道車両は軽量化とメンテナンスフリー化のため、それら（直流磁界に対する磁気シールド効果）の期待できないステンレス製やアルミ製の車体に移行しつつある。
【０００７】
他方首都圏を含めた都市部では、電車線の省メンテナンスを目指して「き電吊架式架線」が広がりつつある。
【０００８】
図１０は、架線システムの例を示す図である。首都圏における電車線路（電車に電気を供給する設備）は、これまでは、図１０（Ａ）に示すコンパウンド架線や、図１０（Ｂ）に示すツインシンプル架線が主流であった。
図１１及び図１２は、直流電気鉄道に適用されるシンプル架線の設備構成の例を示す図である。各変電所の直流回線（正側の主回路）は、銅線やアルミ線で構成されるき電線に接続される。集電装置に接触する架線（電車線）は、トロリ線（銅線）と吊架線（鋼など）で構成され、一定間隔毎に設けられるき電分岐点において、き電線と接続される（非特許文献３を参照）。図１２において、トロリ線は曲線引き（曲引き）金具を用いて固定されている。
【０００９】
このように、シンプル架線などでは、集電装置に接触する架線設備に加え、並列に接続されるき電線が必要であり設備の大型化を招いていた。そこで、図１０（Ｃ）に示すように、き電線と吊架線を一体化することで設備をスリム化したき電吊架式架線（き電吊架線には銅あるいはアルミを使用）の普及が進んでいる。
このき電吊架式架線が採用された結果、これまで電車から離隔があったき電線が吊架線と一体化され、き電吊架線となることで（すなわち以前よりき電線が車体に近づくこととなり）、そこを流れる電流による特に車体上部位置での磁界が強まる傾向にある（き電線は直流き電システムにおいて電車線電流の大半が流れる部位）。
【００１０】
最後に再び車両の方に戻ると、２階建て車両が近年在来線においてもしばしば製作されるようになった。その結果、１階客席は帰線電流の主に流れるレールに近づき、さらに２階座席は前述のき電線に更に近づくこととなり、車内の磁界の増加要因となっている。
【００１１】
なお、近年注目されているＬＲＴ（Light Rail Transit）においては通常の電気鉄道に比較して更なる低床化がなされており、特に客室床部分は帰線電流の流れるレールにより接近することとなる。モータ出力は小さいもののき電電圧の低さ（６００Ｖ程度）と相まって、ＬＲＴにおいても直流磁界を検討する価値がある。
【００１２】
一方昨今のＩＣＮＩＲＰ（国際非電離放射線防護委員会）ガイドラインの提唱、国内では経済産業省による同ガイドラインの省令化（電力関連設備に対して）などがあり、鉄道においても鉄道車内の直流磁界の課題は現在および今後とも重要である。
【００１３】
また、ＥＵにおいては鉄道におけるＥＭＦ規格であるＥＮ５０５００の制定、またその国際規格化（ＩＥＣ６２５９７）なども検討中である。さらにＷＨＯ（World Health Organization）からは直流磁界の健康影響評価に関わる「ｆａｃｔ  ｓｈｅｅｔ（ファクトシート）」が公表されたが、それにはペースメーカを対象として国際規格ＩＳＯ１４７０８−２（直流磁界１ｍＴ）よりも厳しい０．５ｍＴ（ミリテスラ）のガイドライン値にも言及している。これら一連の動きの中で、特に直流電車の車内における静磁界の低減対策の重要性が高まっている。
【００１４】
本発明は、斯かる実情に鑑みなされたものであり、本発明の目的は、簡単、安価、かつ軽量の構造で、車両内部の磁界を効果的に低減することができる、直流電気車両、および直流電気車両の磁気シールド方法を提供することにある。
【課題を解決するための手段】
【００１５】
（１）本発明は上記課題を解決するためになされたものであり、本発明の直流電気車両は、直流電気車両の車体の底部に配設される底部磁気シールド板と、前記底部磁気シールド板に接合されるとともに、前記車体の両側部に配設される第１の側部磁気シールド板と、を備え、前記第１の側部磁気シールド板は、前記車体の底部から、窓枠下辺より下の所定の高さの位置まで配置されることを特徴とする。
【００１６】
（２）また、本発明の直流電気車両は、前記直流電気車両の車体の天井部に配設される天井部磁気シールド板と、前記天井部磁気シールド板に接合されるとともに、前記車体の両側部に配設される第２の側部磁気シールド板と、をさらに備え、前記第２の側部磁気シールド板は、前記車体の天井部から、窓枠上辺より上の所定の高さの位置まで配置されることを特徴とする。
【００１７】
（３）また、本発明の直流電気車両は、前記直流電気車両の乗降用の開閉扉内に配設されるドア部磁気シールド板を、さらに備え、前記ドア部磁気シールド板は、前記車体の底部から、前記開閉扉の窓枠下辺より下の所定の高さの位置まで配置されるとともに、前記ドア部磁気シールド板の底部側の辺部には、前記底部磁気シールド板の一部の面と平行な面をなして重なる磁気的接合面が配設されることを特徴とする。
【００１８】
（４）また、本発明の直流電気車両は、前記底部磁気シールド板、側部磁気シールド板、および天井部磁気シールド板のいずれかまたは全部が方向性電磁鋼板で構成され、前記方向性電磁鋼板の磁化容易軸方向が、直流電気車両に生じる磁界の向きに一致するように配設されることを特徴とする。
【００１９】
（５）また、本発明の直流電気車両の磁気シールド方法は、直流電気車両の磁気シールド方法であって、前記直流電気車両の車体の底部に底部磁気シールド板を配設し、前記底部磁気シールド板に接合される第１の側部磁気シールド板を前記車体の両側部に配設するとともに、前記第１の側部磁気シールド板を、前記車体の底部から、窓枠下辺より下の所定の高さの位置まで配置することを特徴とする。
【発明の効果】
【００２０】
（１）本発明の直流電気車両においては、底部磁気シールド板が車体の底部に配設され、側部磁気シールド板が車体の両側部に配設される。そして、この側部磁気シールド板は、車体の底部から、窓枠下辺の下の所定の高さ位置まで配置される。
これにより、簡単、安価、かつ軽量の構造で、車両内部の磁界を効果的に低減することができる。特に、車体の下部のレールに流れる電流から生じる磁界を、底部磁気シールド板により効果的に遮蔽することができる。
【００２１】
（２）本発明の直流電気車両においては、天井部磁気シールド板が車体の天井部に配設され、側部磁気シールド板が車体の両側部に配設される。そして、この側部磁気シールド板は、車体の天井部から、窓枠上辺より上の所定の高さの位置まで配置される。
これにより、簡単、安価、かつ軽量の構造で、車両内部の磁界を効果的に低減することができる。特に、車体の上部のき電線に流れる電流から生じる磁界を、天井部磁気シールド板により効果的に遮蔽することができる。
【００２２】
（３）本発明の直流電気車両においては、乗降用の開閉扉内にドア部磁気シールド板を設ける。このドア部磁気シールド板は、車体の底部から、開閉扉の窓枠下辺より下の所定の高さの位置まで配置される。また、ドア部磁気シールド板の下辺部に、底部磁気シールド板の一部の面と平行な面をなして重なる磁気的接合面を設ける。
これにより、車体の開閉扉部においても、ドア部磁気シールド板によって磁気シールドを効果的に行うことができる。
【００２３】
（４）また、本発明の直流電気車両においては、底部磁気シールド板、側部磁気シールド板、および天井部磁気シールド板を方向性電磁鋼板で構成する。
これにより、各シールド材が方向性電磁鋼板となるため、磁束の流れる方向と各方向性電磁鋼板の磁化容易軸の方向を一致させることで、方向性電磁鋼板内における磁束の流れを円滑にし、車両内部の磁界を効果的に低減することができる。 
【図面の簡単な説明】
【００２４】
【図１】磁気シールド板の配置例を示す図である。
【図２】車体下部への磁気シールド板の配置例を示す図である。
【図３】図２に示す磁気シールド板の配置例における磁界低減効果を示す図である。
【図４】方向性電磁鋼板を用いる場合の磁化容易軸の配置方向の例を示す図である。
【図５】方向性電磁鋼板を用いる場合の磁界計算結果の例を示す図である。
【図６】磁気シールド板の厚み決定方法を示すフローチャートである。
【図７】車体下部と車体上部への磁気シールド板の配置例を示す図である。
【図８】ドア部磁気シールド板の配置例を示す図である。
【図９】停車時の開口部位置における磁界強度の例を示す図である。
【図１０】き電吊架式架線の例を示す図である。
【図１１】直流電気鉄道の電車線設備の構成（シンプル架線）を示す図である。
【図１２】図１１に示す電車線設備におけるき電線と吊架線とトロリ線の装柱例を示す図である。
【発明を実施するための形態】
【００２５】
直流磁界の遮蔽効果を得るには強磁性体を用いる以外に手段がない（超電導を用いることも原理的に可能であるが現実的ではない）。基本的には車体に磁気シールド板（磁性体）を張り付けて、そこに磁束を集中させることで車両内への漏れ磁界を低減させる。
【００２６】
磁気シールド用の磁性体の候補材料としては、第１に、純鉄や電磁軟鉄がある。第２に、電磁鋼板（無方向性電磁鋼板、方向性電磁鋼板）がある。第３に、他の材料（パーマロイやパーメンジュール）がある。入手のしやすさや価格などを考慮すると、第１の材料と、第２の材料が現実的である。特に方向性電磁鋼板は、鋼板の一方的な方向のみに磁化しやすい性質を有し、大面積の材料の入手のしやすさ、磁気特性のよさ（透磁率の高さ）、飽和磁束密度の高さなどから、本発明の直流電気車両に用いる磁気シールドとしては一番適した材料である。
【００２７】
［磁気シールド板の配置例］
図１に、本発明の実施の形態に係わる直流電気車両における磁気シールド板の配置例を示す。基本的には直流電気車両１の車体１１の底部（底面ａの側の部分）、側部（側面ｂの側の部分）、天井部（天井面ｃの側の部分）の各部に磁気遮蔽を行う磁気シールド板を配置することになる。これらの全て部位（底部、側部、天井部）または一部分に磁気シールド板を配置する。
【００２８】
図１に示す例では、直流電気車両の車体１１の底部に底部磁気シールド板１２を配置する。この底部磁気シールド板１２は、レール３と対面する車体１１の底面ａに対向するように、底面ａの上部近傍に配置される。また、車体１１の両側部に、底部磁気シールド板１２と接合される側部磁気シールド板１３Ａ，１３Ｂを配置する。この側部磁気シールド板１３Ａ，１３Ｂは、車体１１の側面ｂと対向するように配置される。なお、底部磁気シールド板１２と側部磁気シールド板１３Ａ，１３Ｂとは一体として成型されるものであってもよいし、底部磁気シールド板１２と側部磁気シールド板１３Ａ，１３Ｂとを溶接などにより接合して組み立てるようにしてもよい。
【００２９】
また、この側部磁気シールド板１３Ａ，１３Ｂの高さ（図面上で上下方向の高さ）については、車体１１の底部の位置（底部磁気シールド板１２の位置Ｘ１）から、車体２１の側面に設けられた窓２１の窓枠下辺より下の所定の位置Ｘ２までの長さになるように配置される。すなわち、側部磁気シールド板１３Ａ，１３Ｂは、車体１１の側壁部分において、底部の位置Ｘ１から窓２１の下辺までを電磁遮蔽することになる。
【００３０】
また、車体１１の天井部に天井部磁気シールド板１４を配置する。この天井部磁気シールド板１４は、き電線２と対面する車体１１の天井面ｃに対向するように、天井部ｃの下部近傍に配置される。また、車体１１の両側部に、天井部磁気シールド板１４と接合される側部磁気シールド板１３Ｃ，１３Ｄを配置する。この側部磁気シールド板１３Ｃ，１３Ｄは、車体１１の側面ｂと対向するように配置される。なお、天井部磁気シールド板１４と側部磁気シールド板１３Ｃ，１３Ｄとは一体として成型されるものであってもよいし、天井部磁気シールド板１４と側部磁気シールド板１３Ｃ，１３Ｄとを溶接などにより接合して組み立てるようにしてもよい。
【００３１】
また、この側部磁気シールド板１３Ｃ，１３Ｄの高さ（図面上で上下方向の高さ）については、天井部の位置（天井部磁気シールド板１４の位置Ｙ１）から、窓２１の窓枠上辺より上の所定の位置Ｙ２までの長さになるように配置される。
【００３２】
また、磁気シールド板１２，１３Ａ，１３Ｂ，１３Ｃ，１３Ｄ，１４の厚み（板厚）は、必要な磁気シールド効果を持つ範囲でできるだけ適切に（軽量なものを）選ぶ。磁気シールド板として、部材の性質に対応させて、規定の磁束密度となる厚さを、実験あるいはシミュレーションにより求めて設定する。このような磁気シールド板の配置により、簡単、安価かつ軽量な構造で、車体１１内部の磁界を効果的に低減することができる。
【００３３】
［車体下部への磁気シールド板の配置例］
図２は、車体下部への磁気シールド板の配置例を示す図である。図２に示す例は、車体１１の下部に配置されたレール３に流れる電流により生じる磁界の遮蔽に重点を置き、車体１１の底部へ磁気シールド板を設けた構成である。車体１１の側部の磁気シールド板１３Ａ，１３Ｂは、図１で示したように、窓２１の窓枠下辺より下に設置される。
【００３４】
図２に示す例では、き電吊架線２とレール３との間隔が５．４ｍ、車体１１の幅が２．９ｍ、車体１１の高さが２．１ｍ、車体１１の底面ａとレール３との間隔が１．３ｍの例である。
【００３５】
図３は、車体１１の長手方向に対して垂直な平面による断面図であり、図２に示す磁気シールド板の配置例における磁界低減効果を説明する図である。図３において、横軸は断面における車体１１の一方の端部から他方の端部までの横の距離（単位はｍ）を示し、縦軸は車体の底面ａから天井部ｃまでの縦の距離（単位はｍ）を示し、断面の２次元平面の各位置における磁界の強さ（単位はガウス）を示している。この図３に示す例は、車体１１の底部に底部磁気シールド板１２を配置し、また側部磁気シールド板１３Ａ，１３Ｂを（窓２１の窓枠下辺より下の位置の）高さ１ｍまで車体１１の側壁部分に配置した例である。この例では、磁気シールド板１２，１３Ａ，１３Ｂとして、比透磁率１０００（通常のＳＳ材相当の比透磁率）、厚み２．３ｍｍの磁性体を設置した場合の車体内磁界（幅２．９ｍ×高さ２．１ｍ）を示している（例えば、き電吊架線に流れる電流は、１０，０００Ａ）。
【００３６】
図３（Ａ）に示す磁気シールド無しの場合には、車体内の空間のほとんどの領域において、磁束密度が１ｍＴ（１０Ｇ）を超えているが、図３（Ｂ）に示す磁気シールド有りの場合は、天井部側（図面の上側）の一部の領域を除き、ほとんどの領域において磁束密度は１ｍＴ（１０Ｇ）以下であり、磁気シールド板により磁界が大幅に低減されていることがわかる。
【００３７】
次に、更に磁気シールド効果の高い方向性電磁鋼板を用いた場合の結果を示す。ただし方向性電磁鋼板を使用する場合には、その磁化容易軸方向を適切に選択する必要がある。すなわち磁化容易軸方向と磁界の向きを一致させる必要がある（非特許文献２を参照）。
【００３８】
図４は、方向性電磁鋼板を用いる場合の適切な磁化容易軸の配置方向の例を示す図である。この例では、磁界源としてき電線とレールなど進行方向に電流が流れるものを想定し、図に示すように、車体底面（や車体天井面）の磁気シールド板については枕木方向（車両案内方向、すなわち２本のレールのなす平面に平行であり、かつレール延設方向に対して垂直方向）ａ、車体側面の磁気シールド板については上下方向ｂに、磁化容易軸を向ける。
【００３９】
図５は、方向性電磁鋼板を用いる場合の磁界計算結果の例を示す図である。図５において、横軸は断面における車体１１の一方の端部から他方の端部までの横の距離（単位はｍ）を示し、縦軸は車体の底面ａから天井部ｃまでの縦の距離（単位はｍ）を示し、断面の２次元平面の各位置における磁界の強さ（単位はガウス）を示している。方向性電磁鋼板の特性に合わせて、比透磁率は１０，０００としている。前述の図３（Ｂ）に示す例では、１ｍＴ（１０Ｇ）を超える領域が一部あったが、図５に示す例では全て１ｍＴ（１０Ｇ）以下になっている。このように、方向性電磁鋼板を用いることにより、電磁遮蔽の効率を向上させて、車体１１内の磁界の磁束密度を効果的に低減することができる。
【００４０】
なお、図２乃至図５に示す例では、車体１１内下部の磁界低減を重視した例について説明したが、車体１１上部の磁界の磁束密度も低減したい場合には、車体１１の天井部ｃにも磁気シールド板を追加すればよい。
【００４１】
次に、磁気シールド板の厚み決定方法について説明する、図６は、磁気シールド板の厚み決定処理の流れを示すフローチャートである。以下、図６を参照して、磁気シールド板の厚み決定の処理の流れについて、電磁鋼板を磁気シールド板に用いる場合で説明する。
【００４２】
まず最初に、磁気シールド領域を決定する（ステップＳ１）。例えば、図２に示すように、車体１１内下部の磁界を低減することを決定する。そして、車体１１内下部を囲うようにして、床部磁気シールド板１２と、側部磁気シールド板１３Ａ，１３Ｂとを配置することを決定する（ステップＳ２）。そして、方向性電磁鋼板を使用する場合、図４に示すように、磁界の向きに磁化容易軸方向を向けるようにする（ステップＳ３）。
【００４３】
次に、磁界計算を行う（ステップＳ４）。続いて、磁気シールド板内部における磁束密度を判定（チェック）し、飽和磁束密度（例えば、１．５Ｔ）以上であるかどうかを判定する（ステップＳ５）。
【００４４】
そして、磁束密度が飽和磁束密度以上の場合は（ステップＳ５：Ｙｅｓ）、磁束密度が許容値以上であるので、磁気シールド板の厚みを増加させる（ステップＳ６）。そして、再度、ステップＳ４に移行して磁界計算を行う。
【００４５】
一方、ステップＳ５の磁束密度の判定において、磁束密度が飽和磁束密度（例えば、１．５Ｔ）以下と判定された場合は（ステップＳ５：Ｎｏ）、磁束密度が許容値以下であるので、最終形状（最終的な厚み）が決定される（ステップＳ７）。
これにより、磁気シールド板の最適な厚みを決定することができる。なお、電磁鋼板でない磁気シールド材を用いる場合には、上記の飽和磁束密度の値（例えば、１．５Ｔ）を適宜変更する。
【００４６】
［車体下部と車体上部への磁気シールド板の配置例］
次に、車体下部（底部側）と、車体上部（天井部側）の両方に磁気シールド板を配置する例について説明する。図７は、車体下部と車体上部への磁気シールド板の配置例を示す図である。より正確には、２階建て車両の一階部分の下部をレール３に流れる電流により生じる磁界から遮蔽し、かつ、２階部分の上部をき電吊架線２に流れる電流により生じる磁界から遮蔽する場合の磁気シールド板の配置例を示す図である。
【００４７】
図７に示すように、車体の底部へ底部磁気シールド板１２を設置する場合、側部磁気シールド板１３Ａ，１３Ｂの高さは、図１で示した場合と同様に、車体の底部の位置（底部磁気シールド板１２の位置）から、窓２１の窓枠下辺より下の位置までとする。また、車体の天井部に天井部磁気シールド板１４を設置する場合、側部磁気シールド板１３Ｃ，１３Ｄの高さは、図１で示した場合と同様に、車体の天井部ｃの位置（天井部磁気シールド板１４の位置）から、窓２２の窓枠上辺より上の位置までとする。
【００４８】
［開閉扉部（ドア部）の磁気シールドについての説明］
開閉扉部（ドア部）についても磁気シールド板を入れるのが望ましい。図８（Ａ）は、開閉扉内に設けられるドア部磁気シールド板の配置例を示す図である。また、図８（Ｂ）は、底部磁気シールド板１２とドア部磁気シールド板１５Ｂとの間の磁気的接合方法を示す図である。
【００４９】
図８（Ａ）に示すように、ドア部磁気シールド板１５Ａ，１５Ｂは、開閉扉部（ドア部）内に張り付けられるようにして配設される。また、ドア部磁気シールド板１５Ａ，１５Ｂは、開閉扉の開閉動作に伴い、底部磁気シールド板１２に対して平行に移動する（図面の用紙面に垂直な方向に移動する）。また、ドア部磁気シールド板１５Ａ，１５Ｂの高さについては、図１に示す側部磁気シールド板１３Ａ，１３Ｂの場合と同様に、ドア部の窓枠下辺より下側の位置とする（一般にドア部窓と非ドア部窓の高さは揃っていることが多い）。
【００５０】
このドア部磁気シールド板１５Ａ，１５Ｂについては、特に、底部磁気シールド板１２との磁気的連続性に配慮する必要がある。なぜなら、磁束は図４に示すように車体側面では上下方向ｂに、車体底面では枕木方向ａに流れるので、磁束をスムーズに底部磁気シールド板１２からドア部磁気シールド板１５Ａ，１５Ｂ内に流すには、底部磁気シールド板１２とドア部磁気シールド板１５Ａ，１５Ｂとの境界の磁気抵抗が重要な要素になるからである。
【００５１】
一方、ドア部磁気シールド板１５Ａ，１５Ｂと、非ドア部である側部磁気シールド板１３Ａ，１３Ｂ（図示せず）との間の磁気的接合にはそれほど注意を払わなくてよい。この方向にはあまり磁束の流れが無いことが計算により解析されている（後述）からである。
【００５２】
具体的なドア部磁気シールド板１５Ｂと底部磁気シールド板１２との間の磁気的接合方法としては、図８（Ｂ）に示すように、ドア部磁気シールド板１５Ｂの下辺を、底部磁気シールド板１２の方向に向けてＬ字型に曲げて磁気的接合面１６Ｂを形成し、この磁気的接合面１６Ｂを底部磁気シールド板１２とオーバーラップさせるなどの方法が考えられる。
【００５３】
すなわち、ドア部磁気シールド板１５Ａ，１５Ｂの下辺をＬ字型に曲げて磁気的接合面１６Ａ，１６Ｂを形成し、この磁気的接合面１６Ａ，１６Ｂが、底部磁気シールド板１２と平行な面をなして重なるようにする。すなわち、底部磁気シールド板１２と、磁気的接合面１６Ａ，１６Ｂとが、磁気結合を可能とするよう、平行な面が所定の面積を有するように構成されている。これにより、底部磁気シールド板１２とドア部磁気シールド板１５Ａ，１５Ｂとの境界の磁気抵抗を減らし、磁束をスムーズにドア部磁気シールド板１５Ａ，１５Ｂ内に流すことができる。これにより、開閉扉部においても、磁気シールド効果を得ることができる。
【００５４】
また、電車がホームに停車するときはドアが開き、磁気的には開口部が生じる。駅停車時でも同一き電回線を共有する他列車及び自列車補機負荷によりき電吊架線に電流が流れる可能性があるため、この場合の磁気遮蔽効果の検討も必要となる。特に都市部における過密線区では、他列車の影響は非常に大きくなる。
【００５５】
図９は、停車時の開口部位置における磁界強度の例を示す図である。図９において、横軸は側部における車体１１のドアの開口部の端部を基点とし、この基点からの横の距離（単位はｍ）を示し、縦軸は車体の底面ａから天井部ｃまでの縦の距離（単位はｍ）を示し、車体１１内の２次元平面の各位置における磁界の強さ（単位はガウス）を示している。
図９に示す例は、ホーム停止時の磁界計算結果（ドアより１００ｍｍ内側）を示す。ドア開口幅は８００ｍｍである。他の計算条件は、図５に示す例と同様である。図９の計算結果に示されるように、若干磁界は上昇するものの１ｍＴ（１０Ｇ）以下であり、それほど大きくないことがわかる。従ってドア開口時の特別な対策は必要ないと考えられる。
【００５６】
以上、本発明の実施の形態について説明したが、ここで、本発明と実施の形態との対応関係を補足しておく。
【００５７】
本発明の実施の形態において、本発明の直流電気車両は直流電気車両１が相当し、本発明の車体は車体１１が相当する。また、本発明の底部磁気シールド板は底部磁気シールド板１２が相当し、本発明の第１の側部磁気シールド板は側部磁気シールド板１３Ａ，１３Ｂが相当し、本発明の第２の側部磁気シールド板は、側部磁気シールド板１３Ｃ，１３Ｄが相当する。また、本発明の天井部磁気シールド板は、天井部磁気シールド板１４が相当する。また、本発明のドア部磁気シールド板は、ドア部磁気シールド板１５Ａ，１５Ｂが相当し、本発明の磁気的接合面は、磁気的接合面１６Ａ，１６Ｂが相当する。
【００５８】
そして、本実施の形態において、底部磁気シールド板１２が、車体１１の底部に配設される。また、側部磁気シールド板１３Ａ，１３Ｂが、底部磁気シールド板１２に接合されるとともに、車体１１の両側部に配設される。そして、側部磁気シールド板１３Ａ，１３Ｂは、車体１１の底部から、窓枠下辺より下の位置まで配置される。
これにより、簡単、安価、かつ軽量の構造で、車体１１内部の磁界を効果的に低減することができる。特に、車体の下部のレールに流れる電流により生じる磁界を、効果的に遮蔽することができる。
【００５９】
また、上記実施の形態においては、天井部磁気シールド板１４が、車体１１の天井部に配設される。また、側部磁気シールド板１３Ｃ，１３Ｄが、天井部磁気シールド板１４に接合されるとともに、車体１１の両側部に配設される。そして、側部磁気シールド板１３Ｃ，１３Ｄは、車体１１の天井部から、窓枠上辺より上の位置まで配置される。
これにより、簡単、安価、かつ軽量の構造で、車体１１内部の磁界を効果的に低減することができる。特に、車体の上部の電車線に流れる電流により生じる磁界を、効果的に遮蔽することができる。
【００６０】
また、上記実施の形態においては、ドア部磁気シールド板１５Ａ，１５Ｂが、乗降用の開閉扉内に配設される。このドア部磁気シールド板１５Ａ，１５Ｂは、車体１１の底部から、開閉扉の窓枠下辺より下の位置まで配置されるとともに、ドア部磁気シールド板１５Ａ，１５Ｂの下辺部には、底部磁気シールド板１２と平行な面をなして重なる磁気的接合面１６Ａ，１６Ｂが配設される。
これにより、車体の開閉扉部においても、磁気シールドを効果的に行うことができる。
【００６１】
以上、本発明の実施の形態について説明したが、本発明の直流電気車両は、上述の図示例にのみ限定されるものではなく、本発明の要旨を逸脱しない範囲内において種々変更を加え得ることは勿論である。
【符号の説明】
【００６２】
１・・・直流電気車両、２・・・き電吊架線、３・・・レール、１１・・・車体、１２・・・底部磁気シールド板、１３Ａ，１３Ｂ，１３Ｃ，１３Ｄ・・・側部磁気シールド板、１４・・・天井部磁気シールド板、１５Ａ，１５Ｂ・・・ドア部磁気シールド板、１６Ａ，１６Ｂ・・・磁気的接合面、２１，２２・・・窓
【図１】
2011116247.tif 000003
【図２】
2011116247.tif 000004
【図３】
2011116247.tif 000005
【図４】
2011116247.tif 000006
【図５】
2011116247.tif 000007
【図６】
2011116247.tif 000008
【図７】
2011116247.tif 000009
【図８】
2011116247.tif 000010
【図９】
2011116247.tif 000011
【図１０】
2011116247.tif 000012
【図１１】
2011116247.tif 000013
【図１２】
2011116247.tif 000014